(57)【特許請求の範囲】
【請求項１】
左右に離間する支柱の前面と後面に取り付けたブラケットに、前後１対の棚板を、同一高さに架設してなる物品載置用什器において、
前記前後の棚板における対向部のいずれか一方の左右両側端部に、上方に開口する係止部を設け、前記左右の係止部に、内部に左右方向を向く通線空間を有する配線ダクトにおける左右両端部に設けた被係止部を、上方より係止することにより、前記配線ダクトを、前記左右の支柱間において前記前後の棚板の対向面間に配設したことを特徴とする物品載置用什器。
【請求項２】
係止部を、前後の棚板の対向部の両方に設け、この前後の棚板における左右の係止部に、配線ダクトの左右両端部に設けた前後１対の被係止部を、上方より係止したことを特徴とする請求項１に記載の物品載置用什器。
【請求項３】
配線ダクトを、底板と、その前後縁より起立する前後１対の上向片とを備える側面視ほぼ上向きコ字状断面とし、前記前後の上向片の少なくともいずれか一方の両側端上部に設けた外側方を向く突出片を、被係止部とするとともに、前後の棚板の少なくともいずれか一方の対向部下面に取り付けた側面視上向きＬ字状断面の係止片を、係止部としたことを特徴とする請求項１または２に記載の物品載置用什器。
【請求項４】
前後の棚板の左右の係止部に、側面視下向きコ字状断面をなすカバーにおける前後の下向片の下端を上方より係止することにより、配線ダクトの上方を前記カバーにより覆ったことを特徴とする請求項２または３に記載の物品載置用什器。
【請求項５】
カバーの前後幅を配線ダクトの前後幅より大とし、前記カバーの上面と前後の棚板の上面とを同一面をなすように連続させたことを特徴とする請求項４に記載の物品載置用什器。
【請求項６】
配線ダクト係止用の係止片の上面に、カバーの前後の下向片の下端を上方より係止する第２の係止片を設け、前記係止片の先端に設けた上向片と、前記第２の係止片の先端に設けた上向片との間に形成された隙間に、配線ダクトの突出片を上方より嵌合したことを特徴とする請求項４または５に記載の物品載置用什器。
【発明の詳細な説明】
【技術分野】
【０００１】
本発明は、例えば、工場等で使用される作業台や商品陳列棚などの物品載置用什器に係わり、特に、支柱により支持された前後の棚板間に、左右方向を向く配線ダクトを配設してなる物品載置用什器に関する。
【背景技術】
【０００２】
このような配線ダクトを有する従来の物品載置用什器としては、例えば、特許文献１に記載されているように、左右の支柱の前面と棚板の後端との間隙に、コンセント等を有する側面視下向きコ字状断面の、配線ダクトとしての機能を備える横連結材を、左右の支柱に取り付けた棚板支持用の前方を向く左右１対のブラケット間に架設したものや、特許文献２に記載されているように、左右の支柱の前面に列設した係止孔に、コンセント等を有する、配線ダクトとしての機能を備える角管状の横連結材の両側端部に設けた係止フックを係止させることにより、横連結材を、棚板の後端部に上下位置を変更可能に配設したもの（例えば、特許文献２参照）などがある。
【先行技術文献】
【特許文献】
【０００３】
【特許文献１】特開２００２−１４２９３０号公報
【特許文献２】特開２００２−３１５６６０号公報
【発明の概要】
【発明が解決しようとする課題】
【０００４】
前述した特許文献１に記載されている物品載置用什器のように、配線ダクトとしての機能を備える横連結材を、棚板支持用の左右１対のブラケット間に架設すると、特にブラケットを、横連結材の取り付けに適した特殊な形状としなければならないので、横連結材を必要としない他のブラケットとの共通化が図れず、コスト高となる。
【０００５】
一方、特許文献１に記載されている物品載置用什器は、配線ダクトとしての機能を備える横連結材を、左右の支柱の前面に列設した係止孔を利用して取り付けているので、左右の支柱の係止孔に係止した上下複数のブラケットにより、複数段の棚板を上下に接近させて支持する際に、横連結材が障害となって棚板の数が制限されたり、係止孔を利用して他のオプション部材を取り付ける際の障害となったりすることがある。
【０００６】
本発明は、このような問題点に着目してなされたもので、棚板支持用のブラケットや支柱の係止孔を使用することなく、前後の棚板間に、配線ダクトを、着脱可能として容易に配設しうるようにした物品載置用什器を提供することを目的としている。
【課題を解決するための手段】
【０００７】
前記課題を解決するために、本発明の物品載置用什器は、
左右に離間する支柱の前面と後面に取り付けたブラケットに、前後１対の棚板を、同一高さに架設してなる物品載置用什器において、
前記前後の棚板における対向部のいずれか一方の左右両側端部に、上方に開口する係止部を設け、前記左右の係止部に、内部に左右方向を向く通線空間を有する配線ダクトにおける左右両端部に設けた被係止部を、上方より係止することにより、前記配線ダクトを、前記左右の支柱間において前記前後の棚板の対向面間に配設したことを特徴としている。
この特徴によれば、配線ダクトの左右両端部に設けた被係止部を、前後の棚板の対向部のいずれか一方の両側端部に取り付けた上方に開口する係止部に上方より係止するだけで、配線ダクトを、左右の支柱間に位置するようにして、前後の棚板間に容易に配設することができる。従って、従来のように、棚板支持用のブラケットや支柱の係止孔を使用して配線ダクトを取り付ける必要がないので、ブラケットを特殊な形状としたり、複数段の棚板を接近させて支持する際に、配線ダクトが障害となって棚板の数が制限されたり、係止孔を利用して他のオプション部材を取り付ける際の障害となるなどの問題が生じることはない。また、棚板側には、単に係止部を取り付けるだけでよいので、配線ダクトを、種々の物品載置用什器に幅広く取り付けることができる。さらに、配線ダクトは、前後の棚板間に上方より落とし込んで取り付けることができるため、既存の什器に容易に後付けしたり、不要なときは簡単に取り外したりすることができる。
【０００８】
本発明の物品載置用什器は、
係止部を、前後の棚板の対向部の両方に設け、この前後の棚板における左右の係止部に、配線ダクトの左右両端部に設けた前後１対の被係止部を、上方より係止したことを特徴としている。
この特徴によれば、配線ダクトの左右両端部に設けた前後１対の被係止部が、前後の棚板の対向部の両方に設けた左右の係止部に係止されているので、前後の棚板間に配線ダクトを安定的に配設することができる。
【０００９】
本発明の物品載置用什器は、
配線ダクトを、底板と、その前後縁より起立する前後１対の上向片とを備える側面視ほぼ上向きコ字状断面とし、前記前後の上向片の少なくともいずれか一方の両側端上部に設けた外側方を向く突出片を、被係止部とするとともに、前後の棚板の少なくともいずれか一方の対向部下面に取り付けた側面視上向きＬ字状断面の係止片を、係止部としたことを特徴としている。
この特徴によれば、前後の棚板間に配線ダクトを上方より落とし込むだけで、配線ダクトの左右の突出片を、棚板の左右の係止片に、上方より簡単に係止することができる。
【００１０】
本発明の物品載置用什器は、
前後の棚板の左右の係止部に、側面視下向きコ字状断面をなすカバーにおける前後の下向片の下端を上方より係止することにより、配線ダクトの上方を前記カバーにより覆ったことを特徴としている。
この特徴によれば、前後の棚板の係止部を利用して、前後の棚板間に、カバーを、着脱可能として容易に装着しうるとともに、配線ダクトに収容したコンセントや電源コード等を、カバーにより体裁よく目隠しすることができる。
【００１１】
本発明の物品載置用什器は、
カバーの前後幅を配線ダクトの前後幅より大とし、前記カバーの上面と前後の棚板の上面とを同一面をなすように連続させたことを特徴としている。
この特徴によれば、前後の棚板間の隙間がカバーにより閉塞されるとともに、前後の棚板の上面が、カバーを介して連続するので、前後の棚板の上面を有効に使用することができる。
【００１２】
本発明の物品載置用什器は、
配線ダクト係止用の係止片の上面に、カバーの前後の下向片の下端を上方より係止する第２の係止片を設け、前記係止片の先端に設けた上向片と、前記第２の係止片の先端に設けた上向片との間に形成された隙間に、配線ダクトの突出片を上方より嵌合したことを特徴としている。
この特徴によれば、配線ダクト係止用の係止片の上向片と、第２の係止片の上向片との間の隙間に、配線ダクトの突出片を嵌合するようにしてあるので、前後の棚板間に、配線ダクトを、前後方向に位置決めして上方より容易に落とし込んで係止することができる。また、配線ダクトの突出片は、前後の上向片により前後方向から挟持されているので、前後の棚板間に、配線ダクトを安定的に取り付けることができる。
【図面の簡単な説明】
【００１３】
【図１】実施例１の物品載置用什器の側面図である。
【図２】同じく、正面図である。
【図３】図２のIII−III線に沿う拡大縦断側面図である。
【図４】配線ダクトの斜視図である。
【図５】実施例２の物品載置用什器における図３と同部位の拡大縦断側面図である。
【図６】実施例３の物品載置用什器における図３と同部位の拡大縦断側面図である。
【発明を実施するための形態】
【００１４】
本発明に係る物品載置用什器を実施するための形態を実施例に基づいて以下に説明する。
【実施例１】
【００１５】
実施例１に係る物品載置用什器につき、図１から図４を参照して説明する。図１は、例えば工場等で使用される本発明の実施例１の物品載置用什器の側面図、図２は同じく正面図で、この物品載置用什器は、前後方向（以下、図１の右方を前として説明する）を向く左右１対のベース脚１、１と、両ベース脚１の前後方向の中央部に下端が固着された左右１対の支柱２、２と、両支柱２の下部の対向面同士を連結している正面視枠状の下部連結部材３と、同じく上端部の対向面同士を連結している上部連結杆４とを備えている。
【００１６】
左右の支柱２の前後両面には、左右２列の多数の係合孔５が、上下方向に一定間隔おきに形成されている。両支柱２の上下方向の中間部において、それらの前後両面の内側の列の上下複数の係合孔５には、前方及び後方を向くブラケット６、６の対向端の複数の係止フック７が係止されている。前後の左右のブラケット６、６の上面には、棚板８、８の両側端部が、互いの対向面が左右の支柱２の前面及び後面に当接または近接するようにして、互いに同一高さに取り付けられている。
【００１７】
前後の棚板８、８の対向面間には、配線ダクト９が次のように配設されている。図３及び図４に示すように、配線ダクト９は、左右方向を向く底板１０と、この底板１０の前後縁より起立し、両側端部に上方に向かって延出する起立部１１ａを有する前後１対の上向片１１、１１と、前後の各起立部１１ａの上部両側縁に連設された外側方を向く突出片１２、１２とからなる側面視ほぼ上向きコ字状断面をなし、内部には、左右両方向と上方に開口する通線空間Ｓが形成されている。
【００１８】
前後の上向片１１と各係止片１２の上端は、それらを補強するためと、上縁を丸めて安全性に配慮するために、内下向きに折り返されている。また、配線ダクト９の左右寸法と前後幅は、それぞれ、左右の支柱２、２間と前後の棚板８、８間に配設されるように、それらの対向面間の寸法よりも若干小とされている。
【００１９】
前後の棚板８、８における互いに対向する両側端部には、上方に開口する左右１対ずつの係止部、すなわち、前後方向を向く水平片１３ａと、その先端に連設された上向片１３ｂとからなる側面視上向きＬ字状断面の係止片１３、１３が、それらの水平片１３ｂを、前後の棚板８、８の両側部下面に、ボルト１４により固定することにより、着脱可能に取り付けられている。なお、前後の上向片１３ｂ、１３ｂの前後方向の離間寸法は、配線ダクト９における前後の突出片１２、１２の前後方向の離間寸法よりも若干小としてある。
【００２０】
図３に示すように、配線ダクト９における両側端部の前後１対の突出片１２、１２を、前後の棚板８、８における左右１対の係止片１３、１３に、上方より落とし込んで係止することにより、配線ダクト１０は、左右の支柱２、２間と前後の棚板８、８間において、両棚板８の下方に垂下するように配設されている。この際、配線ダクト９が前後方向にがたつかないように、その各突出片１２を、係止片１３の上向片１３ａの外面に近接または当接させるのが好ましい。
【００２１】
配線ダクト９の内部の通線空間Ｓ内には、例えば前後の棚板８上で使用されるＯＡ機器等の電源コードＤなどを接続するためのコンセントボックスＣ等が収納され、かつ電源コードＤ等は通線空間Ｓ内を左右方向に配線することができる。
【００２２】
配線ダクト９の上方は、側面視下向コ字状断面のカバー１５により覆われている。すなわち、カバー１５における前後の下向片１５ａ、１５ａの下端を、前後の棚板８、８における左右１対の係止片１３、１３の外側上面に、上方より係止することにより、配線ダクト９は、前後の突出片１２、１２の上方を覆うように、かつ上面が前後の棚板８の上面と同一面に連続するようにして着脱可能に取り付けられている。なお、カバー１５が前後方向にがたつかないように、その前後の下向片１５ａを、前後の棚板８の後面と前面に当接または近接するようにするのが好ましい。なお、カバー１５は必ずしも必要ではないので、それを省略して実施してもよい。
【００２３】
以上説明したように、実施例１の物品載置用什器においては、配線ダクト９の両側縁に設けた前後１対の突出片１２、１２を、前後の棚板８、８の対向部の両側端部に取り付けた上方に開口する左右１対の係止片１３、１３に上方より係止するだけで、配線ダクト９を、左右の支柱２、２間と前後の棚板８、８間に位置するように容易に配設することができる。従って、従来のように、棚板支持用のブラケット６や支柱２の係止孔５を使用して配線ダクト９を取り付ける必要がないので、ブラケット６を特殊な形状としたり、複数段の棚板８を接近させて支持する際に、配線ダクト９が障害となって棚板８の数が制限されたり、係止孔５を利用して他のオプション部材を取り付ける際の障害となるなどの問題が生じることはない。また、棚板８側には、単に係止片１３を取り付けるだけでよいので、配線ダクト９を、種々の物品載置用什器に幅広く取り付けることができる。さらに、配線ダクト９は、前後の棚板８間に上方より落とし込んで取り付ける構成であるため、既存の什器に容易に後付けしたり、不要なときは簡単に取り外したりすることができる。
【実施例２】
【００２４】
次に、実施例２に係る物品載置用什器につき、図５を参照して説明する。図５は、実施例２の物品載置用什器における図３と同部位の断面図を示すもので、この物品載置用什器は、前後の棚板８の係止片１３の上面に、水平片１６ａと上向片１６ｂとからなる第２の係止片１６、１６を、それぞれの上向片１６ｂが、前後の係止片１３の上向片１３ｂの前方及び後方に離間するようにして載置し、係止片１３と第２の係止片１６とを、ボルト１４により棚板８の下面に共締めしてある。係止片１３の上向片１３ｂと、第２の係止片１６の上向片１６ｂとの間には、配線ダクト１０の突出片１２が、がたなく嵌合される隙間が形成されている。
【００２５】
カバー１５は、その前後の下向片１５ａ、１５ａの下端を、第２の係止片１６の上面に、上方より係止させることにより、棚板８の上面と同一面に連続するようにして着脱可能に取り付けられている。前述の実施例１と同様に、カバー１５の前後の下向片１５ａは、前後の棚板８の後面と前面に当接または近接するようにしてある。
【００２６】
配線ダクト９は、その各突出片１２を、係止片１３の上向片１３ｂと第２の係止片１６の上向片１６ｂとの間の隙間に上方より嵌合させて、係止片１３により係止されている。
【００２７】
実施例２の物品載置用什器においても、前述の実施例１と同様の作用効果を奏することができる。
【００２８】
また、実施例２の物品載置用什器においては、係止片１３の上向片１３ｂと第２の係止片１６の上向片１６ｂとの間の隙間に、突出片１２を嵌合するようにしてあるので、配線ダクト９を、前後方向に位置決めして上方より容易に落とし込んで係止することができる。
【００２９】
さらに、配線ダクト９の突出片１２は、係止片１３の上向片１３ｂと第２の係止片１６の上向片１６ｂとにより、前後方向から挟持されているので、前後の棚板８間に、配線ダクト９を安定的に取り付けることができる。
【実施例３】
【００３０】
次に、実施例３に係る物品載置用什器につき、図６を参照して説明する。図６は、実施例３の物品載置用什器における図３と同部位の断面図を示すもので、この物品載置用什器は、配線ダクト９の後部側の上向片１１の上下寸法を、前述の実施例のものより若干小とするとともに、前部側の上向片１１の両側縁にのみ突出片１２を設け、この突出片１２を、前部の棚板８の左右の係止片１３に係止したものである。
【００３１】
カバー１５の下向片１５ａ、１５ａは、前後の棚板８の係止片１３、１３により係止されている。この際、配線ダクト９が前後方向にぐらつくのを抑えるために、前部の係止片１３の上向片１３ｂとカバー１５の前部の下向片１５ａとの間の隙間に、配線ダクト９の突出片１２を、棚板８の後面と突出片１２との間の隙間に、カバー１５の下向片１５ａをそれぞれ嵌合し、突出片１２を、係止片１３の上向片１３ｂとカバー１５の前部の下向片１５ａとにより、前後方向から挟持するようにするのがよい。
【００３２】
この実施例３の物品載置用什器においても、前述の実施例１と同様の作用効果を奏することができる。
【００３３】
なお、この実施例３においては、配線ダクト９を前後逆向きとして、後方に位置させた突出片１２を、後部の棚板８の係止片１３に係止してもよい。
【００３４】
また、カバー１５を省略してもよいが、この際には、配線ダクト９の突出片１２を、係止片１３の上向片１３ｂと棚板８の後面とにより挟持するようにすればよい。
【符号の説明】
【００３５】
１                ベース脚
２                支柱
９                配線ダクト
１０              底板
１１              上向片
１１ａ            起立部
１２              突出片（被係止部）
１３              係止片（係止部）
１３ａ            水平片
１３ｂ            上向片
１５              カバー
１５ａ            下向片
１６              第２の係止片
【図１】
0005685479.tif 000002
【図２】
0005685479.tif 000003
【図３】
0005685479.tif 000004
【図４】
0005685479.tif 000005
【図５】
0005685479.tif 000006
【図６】
0005685479.tif 000007